(57)【要約】【課題】使用者が中栓体の螺脱操作が確実に実施されたことを認識できるための機構の創出を課題として、もって混合前の容器の安全な取扱いを可能にし、二種の液の混合を安全にかつ簡単に達成すると共に、使用者が確実に混合のための操作を認識しながら取り扱うことのできる二液混合分配容器の提供を目的とする。【解決手段】有底筒状の第１容体と、筒状本体とこの筒状本体の下端部に螺合により底蓋状に密に組み付く有底円筒状の中栓体からなり第１容体の上端部に密に組み付き固定する第２容体と、頂壁に注出口を開口し、第２容体の上端開口部を密に、回動可能に閉蓋する注出キャップとからなり、注出キャップの筒状本体に対する回動を中栓体に伝えて、この中栓体の筒状本体からの螺脱による第２容体の底部の密封を解除する回動伝達手段を設けた容器において、注出キャップおよび筒状本体の一方に突片を、他方に薄板片を、周方向への乗り越え可能に突設し、この乗り越えの際の感触による注出キャップの回動による前記中栓体の螺脱完了の確認を可能に構成する。【選択図】                図１
2005014998.tif 000002
【特許請求の範囲】
【請求項１】
有底筒状の第１容体（１）と、筒状本体（１２）と該筒状本体（１２）の下端部に螺合により底蓋状に密に組み付く有底円筒状の中栓体（２１）からなり前記第１容体（１）の上端部に密に組み付き固定する第２容体（１１）と、頂壁（３３）に注出口（３４）を開口し、第２容体（１１）の上端開口部を密に、回動可能に閉蓋する注出キャップ（３１）とからなり、前記注出キャップ（３１）の、前記筒状本体（１２）に対する回動を中栓体（２１）に伝えて、該中栓体（２１）の筒状本体（１２）からの螺脱による第２容体（１１）の底部の密封を解除する回動伝達手段（Ｋ）  を設けた容器において、前記注出キャップ（３１）および筒状本体（１２）の一方に突片を、他方に薄板片を、周方向への乗り越え可能に突設し、該乗り越えの際の感触により注出キャップ（３１）の回動による前記中栓体（２１）の螺脱完了の認識を可能に構成したことを特徴とする二液混合分配容器
【請求項２】
突片と薄板片を、中栓体（２１）の螺脱開始の確認も可能に突設した請求項１記載の二液混合分配容器。
【請求項３】
注出キャップ（３１）と筒状本体（１２）の間に、使用開始時における注出キャップ（３１）の中栓体（２１）の螺合方向への回動を不能とするための、また螺脱方向への回動限界を決めるための、周方向に突き当たるストッパー機構を付設した請求項１または２記載の二液混合分配容器。
【請求項４】
注出キャップ（３１）の回動位置の認識可能に、注出キャップ（３１）と筒状本体（１２）に目印（５５，５６）を付した請求項１、２または３記載の二液混合分配容器。
【請求項５】
回動伝達手段（Ｋ）  を、一端を注出キャップ（３１）および中栓体（２１）のいずれか一方に固定し、他端を前記注出キャップ（３１）および中栓体（２１）の他方に、軸方向へのスライド可能にかつ回動不能に組み付きした棒状部材で構成した請求項１、２、３または４記載の二液混合分配容器。
【発明の詳細な説明】
【０００１】
【産業上の利用分野】
本発明は、二種の液を一定割合で密に分離して一体に収納保持し、使用時に両液を内部で混合させて注出使用する二液混合分配容器に関するものである。
【０００２】
【従来の技術】
一定割合の二種の液を、保存時には密に分離して一体に収納保持し、使用時に両液を内部で混合して注出使用すべく構成した二液混合分配容器が知られているが、この二液混合分配容器の従来技術の例として、特許文献１に示される容器がある。
【０００３】
この特許文献１記載の容器は、第１の液を収納する第１容体とこの第１容体の上端部に組み付き固定される第２の液を収納する第２容体と、この第２容体の上端開口部を閉蓋する注出キャップから成り、この注出キャップの回動により、第２容体の底部を形成する中栓体を螺脱して、第１容体内で２種の液を混合する構成であり、本容器では、密封状態を確実に保持でき、もって混合前の容器の安全な取扱いが可能であり、二種の液の混合を安全にかつ簡単に達成することができる。
【０００４】
【特許文献１】
特開２００２−３４７８５５号公報
【０００５】
【発明が解決しようとする課題】
しかしながら、特許文献１に記載される容器にあっては、注出キャップを開けて内部を見ることなく、単に注出キャップを回動させて中栓体を螺脱させて、容器を振る等して二種の液の混合操作を実施できるため、この螺脱操作の際に中栓体の螺脱を確認することができない、また使用に際して螺脱操作を実施済みかどうかの確認ができない等使用者が不安を感じる場合があり、その点での改良が求められている。
【０００６】
そこで、本発明は、上記した従来技術における問題点を解消すべく創案されたもので、特には使用者が中栓体の螺脱操作が確実に実施されたことを認識できるための機構の創出を課題として、もって混合前の容器の安全な取扱いを可能にし、二種の液の混合を安全にかつ簡単に達成すると共に、使用者が確実に混合のための操作を認識しながら、取り扱うことのできる二液混合分配容器の提供を目的とする。
【０００７】
【課題を解決するための手段】
上記技術的課題を解決する本発明の内、請求項１記載の発明の手段は、
有底筒状の第１容体と、
筒状本体とこの筒状本体の下端部に螺合により底蓋状に密に組み付く有底円筒状の中栓体からなり第１容体の上端部に密に組み付き固定する第２容体と、
頂壁に注出口を開口し、第２容体の上端開口部を密に、回動可能に閉蓋する注出キャップとからなり、
注出キャップの筒状本体に対する回動を中栓体に伝えて、この中栓体の筒状本体からの螺脱による第２容体の底部の密封を解除する回動伝達手段を設けた容器において、
注出キャップおよび筒状本体の一方に突片を、他方に薄板片を、周方向への乗り越え可能に突設すること、
この乗り越えの際の感触により注出キャップの回動による中栓体の螺脱完了の確認を可能に構成すること、
にある。
【０００８】
請求項１の上記構成の容器は、第１収納液を収納する有底筒状の第１容体の上端部に、第２収納液を収納する有底筒状の第２容体を組み付き固定したものであるが、第１容体は第２容体により密閉され、また第２容体は注出キャップにより密閉されて第１収納液および第２収納液をそれぞれ分離して密閉状に収納することができる。
【０００９】
また第２容体は、筒状本体の下端部に有底円筒状の中栓体を底蓋状に螺合により密に組み付けたものであり、注出キャップを筒状本体に対して相対回動させることにより、回動伝達手段を介して、中栓体を螺脱させて、第２容体に収納された第２収納液を第１収納液内に流し込むことことができ、その状態で容器全体を振る等して、二液を混合することができる。
【００１０】
ここで、注出キャップの注出口を任意の手段で密閉しておけば、容器全体の密閉性が保持されるので、液漏れの心配無く中栓体の螺脱操作、および容器を振る等することによる二液の混合を実施することができる。
【００１１】
また、注出キャップおよび筒状本体の一方に突片を、他方に薄板片を、周方向への乗り越え可能に突設して、またこの乗り越えの際の感触により注出キャップの回動による中栓体の螺脱完了の確認を可能に構成することにより、すなわち注出キャップの回動により中栓体の螺脱が達成された時点で、ちょうど突片が薄板片の先端部に周方向に突き当たって、薄板片を弾性変形させながら乗り越えるように予め設定しておくことにより、使用者は薄板片の戻り変形による音の発生も含めた感触、所謂クリック感で中栓体の螺脱の終了を明確に認識することができる。
【００１２】
請求項２記載の発明の手段は、請求項１記載の発明において、突片と薄板片を、中栓体の螺脱開始の確認も可能に突設すること、にある。
【００１３】
請求項２記載の上記構成により、螺脱開始時点と螺脱終了時点を併せてクリック感で認識可能にすることができ、使用者はより安心感を持って中栓体の螺脱操作を達成することができる。
【００１４】
請求項３記載の発明の手段は、請求項１または２記載の発明において、注出キャップと筒状本体の間に、螺脱方向への回動限界を決めるため、および使用開始時における注出キャップの中栓体の螺合方向への回動を不能とするための周方向に突き当たるストッパー機構を付設すること、にある。
【００１５】
請求項３記載の上記構成により、まず注出キャップと筒状本体の間に、螺脱方向への回動限界を決めるためストッパー機構を敷設することにより、クリック感と共に、注出キャップの回動ができなくなるので、より明確に螺脱の終了を認識できる。
【００１６】
また、使用開始時における注出キャップの中栓体の螺合方向への回動を不能とするための周方向に突き当たるストッパー機構を付設することにより、注出キャップを逆方向に回すことを防止することができ、たとえば中栓体等に無理な力が掛かり、シール性を損なう等の問題を防止することができる。
【００１７】
請求項４記載の発明の手段は、請求項１、２または３記載の発明において、注出キャップの回動位置の認識を可能に、注出キャップと筒状本体に目印を付すこと、にある。
【００１８】
請求項４記載の上記構成により、注出キャップの回動位置を認識することができ、使用者はたとえばすでに中栓体が螺脱済であるかどうか等を外から容易に確認することができる。
【００１９】
請求項５記載の発明の手段は、請求項１、２または３記載の発明において、回動伝達手段を、一端を注出キャップおよび中栓体のいずれか一方に固定し、他端を注出キャップおよび中栓体の他方に、軸方向へのスライド可能にかつ回動不能に組み付きした棒状部材で構成すること、にある。
【００２０】
請求項５記載の上記構成により、棒状部材を介して中栓体を回動させながら下方に移動させて、中栓体をスムーズ筒状本体から螺脱させることができる。
【００２１】
【発明の実施の形態】
以下、本発明の実施形態を、図面を参照しながら説明する。図１〜図４は、本発明の容器の第１実施例を示すもので、本実施例の容器は第１容体１、筒状本体１２、中栓体２１、および注出キャップ３１の４ケの部材からなり、筒状本体１２と中栓体２１で第２容体１１が形成される。
【００２２】
第１容体１は、壜体状であり、胴部に第１収納液Ｌ１を収納し、スクイズ性を発揮する合成樹脂製のブロー成形品で、有底筒状の胴部の上端に、肩部を介して、外周面にアンダーカット結合用の周突条を周設した口筒部２を立設し、また、肩段部３には第２容体１１が回動不能に組み付くための複数の係止縦溝４が刻設されている。
【００２３】
第２容体１１は、筒状の筒状本体１２の下端部に底蓋状に中栓体２１を密に組み付けて第２収納液を収納するが、このうち筒状本体１２は円筒状の筒本体１３を有し、この筒本体１３の外側に肩壁１４を介して、嵌着筒１９および外筒１５が垂下設した形状である。
【００２４】
本体筒１３の上端部は、後述する注出キャップ３１の嵌合筒３７ｂにアンダーカット状に嵌入して抜け外れ不能に、シール筒片３７ａにより密に、そして回動可能に注出キャップ３１に組み付く。またこの本体筒１３の外周面、肩壁１４の上には軸対称の位置に薄板片５２ａとリブ片５２ｂが突設されており（図３（ａ）参照）、さらに下端部内周面には螺条１７が刻設されており後述する中栓体２１の螺合筒２３に螺合組み付きする。
【００２５】
嵌着筒１９は第１容体１の口筒部２にアンダーカット状に組み付き、外筒１５は内周面には複数の係止縦突条１８を有し、第１容体１の肩段部３の係止縦溝４と係止して第１容体１の肩段部４に回動不能に組み付けられる。
【００２６】
中栓体２１は、前記第２容体１１の本体筒１３の下端部に螺合組み付きする螺合筒２３を有し、この螺合筒２３の下端からは外側に嵌合筒片２７が垂下設されると共に、底壁２２を介して内側に中栓内筒２６を立設した形状である。
【００２７】
螺合筒２３の内周面には等中心角度の４箇所に突き当り縦突条２５が突設され、後述する注出キャップ３１の回動筒３８の突き当り縦溝３９と突き当たり係止して、上下方向への相対的なスライド状の移動可能な状態で、回動筒３８および突き当り縦溝３９と共に回動伝達手段Ｋを形成する。（図４参照）
【００２８】
また嵌合筒片２７は筒状本体１２の本体筒１３の下端部に密に嵌入して第２容体１１の底部の密閉性を確保し、フランジ周片２７ａは本体筒１３の下端面に当接して螺合筒２３の螺合による嵌入限界を決めると共に、底部の密閉性をより確実なものとする。
【００２９】
また、中栓内筒２６はその先端部を後述する注出キャップ３１の注出口３４周縁から垂下設されたシール筒片３６に嵌入して、使用前における注出口３４のシール性を確実に維持する機能を有する。
【００３０】
注出キャップ３１は、回動伝達手段Ｋを形成する棒状部材である回動筒３８を垂下設した有頂円筒状のキャップ筒３２と、このキャップ筒３２の頂壁３３に形成された注出口３４を開閉すべく、キャップ筒３２にヒンジ部により開閉回動可能に結合された開閉蓋４１とから構成されている。
【００３１】
キャップ筒３２の頂壁３３からは、回動筒３８の他に、中栓内筒２６の先端部が密に嵌入するシール筒片３６、もう一つのシール筒片３７ａおよび嵌合筒３７ｂが垂下設され、また注出口３４の開口縁部から上方にラッパ状に拡径した注出筒３５が立設されている。また回動筒３８には切り欠き４０が形成されており（図３参照）回動筒３８内にも第２収納液Ｌ２の収納を可能にしている。
【００３２】
回動筒３８の下端部には突き当り縦溝３９が形成され、また嵌合筒３７ｂは筒状本体１１の本体筒１３上端部にアンダーカット状に組み付き、シール筒片３７ａは本体筒１３の上端部に嵌入して第２容体１１の上端開口部の密閉性を確保する。
【００３３】
また、キャップ筒３２の内周面には、前述した本体筒１３に突設した薄板片５２ａを挟むようにして突片５１ａとリブ片５３ａが、リブ片５２ｂの近傍にはリブ片５３ｂと突片５１ｂがそれぞれ突設されている。（図３参照）
【００３４】
また、開閉蓋４１は、伏した深皿形状をしていて、その内面に注出筒３５に密嵌入する栓片４２を垂下設して、特には中栓体２１の螺脱後の注出口３４を密閉する。
【００３５】
次に、図１で示される、上述した４ケの部材からなり、第１容体１に第１収納液Ｌ１を、第２容体１１に第２収納液Ｌ２を収納した容器の組み立て状態およびその使用方法、使用状態を説明する。
【００３６】
第２容体１１は、本体筒１３の略下半分を第１容体１の口筒部２内に収納した状態で、係止縦溝４と係止縦突条１８により回動不能に、口筒部２に嵌着筒１９をアンダーカット状に外嵌することにより抜け外れ不能に、また口筒部２上端部の内周面へ本体筒１３の外周面を密に内接するようにして密閉状に、第１容体１の上端部に組み付き、第１収納液を密閉状態で保持する。
【００３７】
また、本体筒１３の下端部へ嵌合筒片２７を密嵌入させることにより、第２容体１１の底部の密閉性が確保され、さらに本体筒１３の上端部をシール筒片３７ａと嵌合筒３７ｂで挟持するようにして注出キャップ３１が第２容体１１に組み付くことにより第２収納液の密閉性が確保される。また注出キャップ３１は、嵌合筒３７ｂのアンダーカット状の嵌合により抜け外れを防止した状態で、回動可能に本体筒１３の上端部に組み付いている。
【００３８】
また、中栓体２１の中栓内筒２６はその先端部をシール筒片３６に密嵌入して注出口３４をシールした状態であり、上記したような組み付き、および密閉状態により、容器の姿勢等に関わらず第１収納液Ｌ１と第２収納液Ｌ２を確実に分離した状態で保管することができる。
【００３９】
本第１実施例の容器の使用に際しては、筒状本体１２の外筒１５を一方の手で掴持して、他方の手で中栓体２１の螺脱方向にキャップ筒３２を（図２中の白抜き矢印方向）回動させる。このキャップ筒３２の回動により、回動筒３８、突き当り縦溝３９および突き当り縦突条２５により形成される回動伝達手段Ｋを介して、中栓体２１が回動して、本体筒１３下端部からの螺脱が進行して、突き当り縦溝３９に沿ってスライド状に下方に移動して、遂には下方に落下して、その結果、第２収納液Ｌ２が第１収納液Ｌ１中に流入し、混合液ＬＭとなる。（図２参照）
【００４０】
上述したような中栓体２１の螺脱操作は、たとえば注出キャップ３１を取り外したりすることなく実施することができ、容器の内部はいわばブラックボックスであり、目視により確認することができず、使用者は螺脱が完了したかどうか等を明確に認識できず不安になる場合がある。
【００４１】
ここで、本体筒１３あるいはキャップ筒３２に突設した、突片５１ａ、５１ｂ、薄板片５２ａあるいはリブ片５２ｂ、５３ａ、５３ｂは上記した螺脱操作を手の感触、音、あるいは回動のストーパー機構で使用者に認識させ、使用者の上記のような不安を解消させるための構成ある。（図３（ａ）、（ｂ）参照）
【００４２】
図３（ａ）はキャップ筒３２の回動前の状態を示し、この状態からキャップ筒３２を矢印方向に回動させるが、誤操作による逆方向への回動は、リブ片５３ｂとリブ片５２ｂで周方向に突き当たるストッパー機構としての機能が発揮され確実に防止される。
【００４３】
キャップ筒３２の回動を始めると、まず突片５１ａが薄板片５２ａの先端に周方向に突き当たり、薄板片５２ａを弾性変形させながら乗り越えるが、使用者はこの突き当たり、および乗り越えに伴う感触と共に、薄板片５２ａの弾性的な戻り変形による音の発生を感じることにより、所謂クリック感により、回動の開始を認識する。
【００４４】
さらにキャップ筒３２を回動させて（本実施例では略１７０°程度）、中栓体２１の螺脱が終了した位置で、今度は突片５１ｂが薄板片５２ａに突き当たり、乗り越え、クリック感により螺脱の終了を明確に認識することができる。またこの螺脱終了時には、薄板片５２ａが弾性的な戻り変形して、リブ片５３ｂにぶつかるので音の発生もより大きくなり、さらには同時にリブ片５３ａがリブ片５２ｂに突き当たるので、螺脱の終了をより明確に認識することができる。
【００４５】
なお、突片、薄板片およびリブ片の突設個数、突設位置等は本実施例の上記構成に限定されるものではなく、たとえば注出キャップ３１および筒状本体１２のいずれか一方に１ケの突片を、他方に１ケの薄板片を配置することにより少なくとも螺脱の終了をクリック感により認識でき、使用目的、部材の成形性、あるいはキャップ筒３１をどの程度回動させて螺脱させるか等の商品設計に応じて、設置個数、設置位置を選択することができる。
【００４６】
図５〜図７は、本発明の容器の第２実施例を示すもので、その基本的な構成は、第１実施例と同様であるが、注出キャップ３１においてキャップ筒３２の下端に外鍔周片を介して拡径した外装筒３２ａを垂下設して、筒状本体１２の外筒１５を外装し、またこのため突片５１ａ、５１ｂ、薄板片５２ａおよびリブ片５２ｂ、５３ａ、５３ｂを設置するスペースを確保するたに外筒１５の上端部に肩段部１４ａを形成した構成としている。
【００４７】
上記構成により、第１実施例に比較して肩段部１４ａの形成等、部材の成形面では若干複雑になるが、より径の大きな外装筒３２ａを回動して中栓体２１を螺脱するので、比較的小さな力でも回動操作を容易に実施することができる。
【００４８】
また、本実施例においては注出キャップ３１の外装筒３２ａの下端部正面の位置に円形状の目印５５と、筒状本体１２の外筒１５の下端部正面位置に目印５６を付すことにより注出キャップ３１の回動位置が認識できるようにしている。すなわち使用を開始するまでは、この２つの目印５５、５６は容器正面に位置するが、中栓体２１の螺脱を終了した後では、目印５５は略背面に位置するので、使用者はこの目印５５、５６の位置関係により、注出キャップ３１の回動位置を明確に認識することができる。
【００４９】
【発明の効果】
本発明は、上記した構成としたので、以下に示す効果を奏する。
請求項１記載の発明にあっては、第１収納液および第２収納液をそれぞれ分離して密閉状に収納することができ、注出キャップを筒状本体に対して相対回動させるという簡単な操作により、回動伝達手段を介して、中栓体を螺脱させて、第２容体に収納された第２収納液を第１収納液内に流し込むことことができる。
【００５０】
また、注出キャップと筒状本体に設置した突片が薄板片の先端部に周方向に突き当たって、薄板片を弾性変形させながら乗り越えるように予め設定しておくことにより、使用者は薄板片の戻り変形による音の発生も含めた感触、所謂クリック感で中栓体の螺脱の終了を明確に認識することができる。
【００５１】
請求項２記載の発明にあっては、突片と薄板片を、中栓体の螺脱開始の確認も可能に突設することにより、螺脱開始時点と螺脱終了時点を併せてクリック感で認識可能にすることができ、使用者はより安心感を持って中栓体の螺脱操作を達成することができる。
【００５２】
請求項３記載の発明にあっては、ストッパー機構によりクリック感と共に、注出キャップの回動ができなくなるので、より明確に螺脱の終了を認識できると共に、使用開始時に注出キャップを誤操作で逆方向に回すことを防止することができ、たとえば中栓体等に無理な力が掛かってシール性を損なう等の問題を防止することができる。
【００５３】
請求項４記載の発明にあっては、注出キャップと筒状本体に目印を付すことにより、注出キャップの回動位置を認識することができ、使用者はたとえばすでに中栓体が螺脱済であるかどうかを外から容易に確認することができる。
【００５４】
請求項５記載の発明にあっては、回動伝達手段を、一端を注出キャップおよび中栓体のいずれか一方に固定し、他端を注出キャップおよび中栓の他方に、軸方向へのスライド可能にかつ回動不能に結合させた棒状部材で構成することによりこの棒状部材を介して中栓体を回動させながら下方に移動させて、中栓体をスムーズに筒状本体から螺脱させることができる。
【図面の簡単な説明】
【図１】本発明の容器の第１実施例を示す、半縦断正面図。
【図２】図１に示す容器において、中栓体を螺脱した状態を示す、半縦断正面図。
【図３】（ａ）図１中のＡ−Ａ線に沿って示す平断面図、および（ｂ）図２中のＣ−Ｃ線に沿って示す平断面図。
【図４】図１のＢ−Ｂ線に沿って示す、平断面図。
【図５】本発明の容器の第２実施例を示す、半縦断正面図。
【図６】図５に示す容器において、中栓体を螺脱した状態を示す、半縦断正面図。
【図７】（ａ）図５中のＤ−Ｄ線に沿って示す平断面図、および（ｂ）図６中のＥ−Ｅ線に沿って示す平断面図。
【符号の説明】
１  ；第１容体
２  ；口筒部
３  ；肩段部
４  ；係止縦溝
１１；第２容体
１２；筒状本体
１３；本体筒
１４；肩壁
１４ａ；肩段部
１５；外筒
１７；螺条
１８；係止縦突条
１９；嵌着筒
２１；中栓体
２２；底壁
２３；螺合筒
２５；突き当り縦突条
２６；中栓内筒
２７；嵌合筒片
２７ａ；フランジ周片
３１；注出キャップ
３２；キャップ筒
３２ａ；外装筒
３３；頂壁
３４；注出口
３５；注出筒
３６；シール筒片
３７ａ；シール筒片
３７ｂ；嵌合筒
３８；回動筒
３９；突き当り縦溝
４０；切り欠き
４１；開閉蓋
４２；栓片
５１ａ、５１ｂ；突片
５２ａ；薄板片
５２ｂ；リブ片
５３ａ、５３ｂ；リブ片
５５、５６；目印
Ｋ  ；回動伝達手段
Ｌ１；第１収納液
Ｌ２；第２収納液
ＬＭ；混合液
【図１】
2005014998.tif 000003
【図２】
2005014998.tif 000004
【図３】
2005014998.tif 000005
【図４】
2005014998.tif 000006
【図５】
2005014998.tif 000007
【図６】
2005014998.tif 000008
【図７】
2005014998.tif 000009